(57)【特許請求の範囲】
【請求項１】
着色剤と、水と、下記構造（Ａ）を有する化合物と、を含むインク組成物であって、
【化１】
0004507156.tif 000014
（構造（Ａ）中、Ｒ1、Ｒ2は、それぞれ独立に、置換されていてもよいアルキル基又は置換されていてもよいアリール基である。）
前記構造（Ａ）を有する化合物は、下記の構造（Ａ−２）〜（Ａ−８）からなる群より選択された一種以上の化合物である、インク組成物。
【化２】
0004507156.tif 000015
【化３】
0004507156.tif 000016
【請求項２】
前記構造（Ａ）を有する化合物の含有量が、インク組成物中０．１重量％以上、１０重量％以下である請求項１に記載のインク組成物。
【請求項３】
前記着色剤として、金属錯体からなる染料を含む請求項１又は２記載のインク組成物。
【請求項４】
前記着色剤として、銅錯体からなる染料を含む請求項３記載のインク組成物。
【請求項５】
前記着色剤として、銅フタロシアニン染料を含む請求項４記載のインク組成物。
【請求項６】
前記着色剤として、下記一般式（Ｂ）で表される染料を含む請求項１又は２記載のインク組成物。
【化４】
0004507156.tif 000017
（式中、Ｘは少なくとも１つのＳＯ3Ｍで置換されたアニリノ基を示し、Ｙは、ＯＨ、Ｃｌ又はモルホリノ基を示し、Ｍは、Ｈ、Ｌｉ、Ｎａ、Ｋ、アンモニウム又は有機アミン類を示す。）
【請求項７】
さらに、少なくとも０〜４０℃の温度範囲において液体であって、温度２０℃における水に対する溶解度が１重量％以上であり、かつ、温度２０℃における飽和蒸気圧が１．７Ｐａ以下である水溶性有機溶剤を少なくとも一種以上含有する請求項１〜６のいずれか一項に記載のインク組成物。
【請求項８】
前記有機溶剤として、グリセリン、１，５−ペンタンジオール、トリエチレングリコールからなる群から選ばれる１種又は２種以上を少なくとも含有するものである請求項７記載のインク組成物。
【請求項９】
前記有機溶剤は、インク組成物中、１０重量％以上、３５重量％以下含有されてなる請求項７又は８記載のインク組成物。
【請求項１０】
前記構造（Ａ）を有する化合物の含有量と、前記有機溶剤の含有量と、の重量比が、１：３〜１：１００の範囲である請求項７〜９のいずれか一項に記載のインク組成物。
【請求項１１】
さらに、アセチレングリコール系化合物を少なくとも一種以上含有する請求項１〜１０のいずれか一項に記載のインク組成物。
【請求項１２】
さらに、グリコールエーテル系化合物を少なくとも一種以上含有する請求項１〜１１のいずれか一項に記載のインク組成物。
【請求項１３】
さらに、第三級アミンからなる保湿剤を少なくとも一種以上含有する請求項１〜１２のいずれか一項に記載のインク組成物。
【請求項１４】
インク組成物の液滴を吐出し、該液滴を記録媒体に付着させて記録を行うインクジェット記録方法であって、前記インク組成物として、請求項１〜１３のいずれか一項に記載のインク組成物を用いることを特徴とする、インクジェット記録方法。
【請求項１５】
請求項１４記載のインクジェット記録方法によって記録がなされた記録物。
【発明の詳細な説明】
【０００１】
【発明の属する技術分野】
本発明は、インク組成物、インクジェット記録方法、及び記録物に関し、特に、記録物の保存性に優れ、高品質な画像を得ることのできるインク組成物、インクジェット記録方法、及び記録物に関する。
【０００２】
【従来の技術】
インクジェット記録方法は、インク組成物の小滴を飛翔させ、これを紙等の記録媒体に付着させて記録を行う印刷方法である。この方法は、比較的安価な装置を用いながら、解像度が高く鮮明な画像を高速に印刷することができるという特徴を有する。
【０００３】
従来より、このインクジェット記録方法による記録に用いるためのインク組成物が種々提案されている。
【０００４】
近年は、長期にわたって記録画像を劣化させることなく高品位に維持する要求が高まってきており、このため、記録画像の保存性を向上させる種々の工夫がなされている。
【０００５】
例えば、記録画像の耐光性を向上させる方法として、特開平１１−１７０６８６号公報では、記録液に特定の化合物を添加することが提案されており、その他にも様々な耐光性向上剤を添加することや、新規な色剤の提案等もなされている。
【０００６】
耐光性に関してはこれら多くの方法により改良ないし改善がなされており、額縁やアルバムに入れて掲示する等、外気と遮断がなされ光暴露のみの影響を受けるような形態で保存される場合においては、非常に保存性が向上し、長期に渡って画像品質を良好に維持することができる。
【０００７】
【発明が解決しようとする課題】
一方、上記のような保存形態以外に、ポスターやカレンダー等、記録画像がそのまま外気と直接接触する状態で室内や屋外に掲示される場合も増えてきている。
【０００８】
しかしながら、このような場合には、光以外に空気にも暴露されるために、画像品質が劣化してしまうという問題がある。この記録画像の劣化の原因は定かではないが、空気中に存在するオゾン等に代表される各種の酸化性ガスの影響によるものと考えられる。
【０００９】
特に、記録物が長期にわたり空気中に曝された場合には、シアン染料の劣化が顕著であり、記録画像が赤みを帯びてくることもある。このシアン染料の劣化は、記録物を屋外で保存した場合に特に進行し易い。
【００１０】
記録画像の、これら空気（ガス）への耐性（耐ガス性）を向上させる方法としては、例えば特開平７−３１４８８２号では、チオシアン酸塩などからなる群より選ばれる化合物を記録用シートに添加し、記録画像の劣化を抑制する方法が提供されている。この方法の場合、初期的には有効にガスによる劣化を抑制できるが、空気に長期間曝され続けた場合、やがて耐ガス性の効力を無くし、効力が切れた時点で急激に劣化しはじめるため、長期間にわたり耐ガス性を維持できないという課題がある。
【００１１】
また、特開平８−３４９７号では、チオセミカルバジド誘導体やチオカルボヒドラジド誘導体等をインク組成物に添加することにより耐ガス性の向上を図る提案もなされているが、これら添加剤については安全性の面で課題があり、使用においては十分な検証が必要である。
【００１２】
従って、本発明の目的は、記録画像の耐ガス性に優れ、高品質な記録画像を保存することのできるインク組成物、インクジェット記録方法、及び記録物を提供することにある。
【００１３】
【課題を解決するための手段】
本発明者は、鋭意検討した結果、インク組成物を、着色剤と、水と、下記構造（Ａ）を有する化合物を少なくとも一種以上と、を含む構成とすることにより、記録画像の耐ガス性が向上することを知見した。
【００１４】
【化３】
0004507156.tif 000002
（構造（Ａ）中、Ｒ１、Ｒ２は、それぞれ独立に、置換されていてもよいアルキル基又は置換されていてもよいアリール基である。）
上記構成とすることにより、耐ガス性に優れた記録画像を得ることができる。
【００１５】
また、上記においては、前記構造（Ａ）を有する化合物は、Ｒ１及びＲ２がメチル基であることが好ましい。
【００１６】
また、上記においては、前記構造（Ａ）を有する化合物は、同一分子内に構造（Ａ）を２つ以上有する化合物であることがより好ましい。
【００１７】
上記構成とすることにより、耐ガス性に優れた記録画像を得ることができる。
【００１８】
上記構造（Ａ）を有する化合物は、耐ガス性向上の観点からは、インク組成物中、０．１重量％以上、１０重量％以下含まれることが好ましい。
【００１９】
本発明のインク組成物には、前記構造（Ａ）を有する化合物を一種添加してもよく、あるいは、これらのうち二種類以上を混合して添加してもよい。混合して添加する場合には、これらの合計含有量がインク組成物中、０．１重量％以上、１０重量％以下であることが好ましい。
【００２０】
本発明のインク組成物においては、前記着色剤として、金属錯体からなる染料を含んでいる場合に特に有効に作用する。金属錯体からなる染料を含むと、画像品質が高くかつ耐ガス性に優れた記録画像が得られる。金属錯体からなる染料としては、フタロシアニン染料、金属錯体アゾ染料等が挙げられる。
【００２１】
上記においては、着色剤としては、銅錯体からなる染料を含んでいる場合にさらに効果的に作用する。特に、銅フタロシアニン染料を用いた場合に、より耐ガス性に優れた記録画像が得られる。銅フタロシアニンの具体例としては、Ｃ．Ｉ．ダイレクトブルー８６、１９９等が挙げられる。
【００２２】
本発明のインク組成物においては、前記着色剤として、下記一般式（Ｂ）で表される染料を含んでいる場合も、特に有効に作用する。
【００２３】
【化４】
0004507156.tif 000003
（式中、Ｘは少なくとも１つのＳＯ３Ｍで置換されたアニリノ基を示し、Ｙは、ＯＨ、Ｃｌ又はモルホリノ基を示し、Ｍは、Ｈ、Ｌｉ、Ｎａ、Ｋ、アンモニウム又は有機アミン類を示す。）
本染料を含むと、画像品質が高くかつ耐ガス性に優れた記録画像が得られる。
【００２４】
一般式（Ｂ）で表される染料の具体例としては、以下が挙げられる。
【００２５】
【化５】
0004507156.tif 000004
【００２６】
【化６】
0004507156.tif 000005
【００２７】
【化７】
0004507156.tif 000006
【００２８】
【化８】
0004507156.tif 000007
上記インク組成物は、さらに、少なくとも０〜４０℃の温度範囲において液体であって、温度２０℃における水に対する溶解度が１重量％以上であり、かつ、温度２０℃における飽和蒸気圧が１．７Ｐａ以下である水溶性有機溶剤を少なくとも一種以上含有することが好ましい。所定の水溶性有機溶剤を含有させることにより、記録画像の耐ガス性を劣化させることなく、インクの吐出安定性を高めることができる。
【００２９】
上記においては、前記有機溶剤として、グリセリン、１，５−ペンタンジオール、トリエチレングリコールからなる群から選ばれる１種又は２種以上を少なくとも含有するものであることが好ましい。
【００３０】
上記構成とすることにより、記録画像の耐ガス性及びインクの吐出信頼性を向上させることができる。
【００３１】
上記有機溶剤は吐出性のさらなる向上の観点からは、インク組成物中、１０重量％以上、３５重量％以下含有されてなることが好ましい。
【００３２】
上記インク組成物は、さらに、アセチレングリコール系化合物を少なくとも一種以上含有していてもよい。アセチレングリコール系化合物をさらに含有させることにより、記録画像の耐ガス性を劣化させることなく、インクの吐出安定性を高めることができる。
【００３３】
上記インク組成物は、さらに、グリコールエーテル系化合物を少なくとも一種以上含有していてもよい。溶剤としてグリコールエーテル系化合物を用いることにより、記録画像の耐ガス性を劣化させることなく、インクの吐出安定性を高めることができる。
【００３４】
上記インク組成物は、さらに第三級アミンからなる保湿剤を少なくとも一種以上含有していてもよい。
【００３５】
また、本発明のインクジェット記録方法は、インク組成物の液滴を吐出し、該液滴を記録媒体に付着させて記録を行うものであって、前記インク組成物として、上記のインク組成物を用いることを特徴とする。
【００３６】
これらの記録方法を用いることにより、耐ガス性に優れた記録物を得ることができる。
【００３７】
【発明の実施の形態】
以下、本発明のインク組成物の好ましい実施形態について説明する。
【００３８】
本発明によるインク組成物は、着色剤と、水と、下記構造（Ａ）を有する化合物を少なくとも一種以上と、を含むものである。
【００３９】
【化９】
0004507156.tif 000008
（構造（Ａ）中、Ｒ１、Ｒ２は、それぞれ独立に、置換されていてもよいアルキル基又は置換されていてもよいアリール基である。）
前記構造（Ａ）を有する化合物は、Ｒ１及びＲ２がメチル基であることが好ましい。
【００４０】
前記構造（Ａ）を有する化合物において、Ｒ１及びＲ２は、Ｈであっても、耐ガス性に対してほぼ同様の効果を得ることは可能である。しかしながら、Ｈである場合、特に各種有機材料と反応しやすい傾向にあり、時に記録装置やインク組成物の供給媒体（インクタンク）の構成部材と反応を起こし、保存性を向上するという機能を失ってしまったり、記録装置等の破損を招く場合がある。また、アルキル基、アリール基である場合に比べて有機溶剤に対する溶解性にやや乏しい。アルキル基、アリール基では材料耐性は穏やかでかつ、有機溶剤に対する溶解性も得やすいが、あまり基が大きすぎる場合には水に対する溶解性が損なわれる。インクジェット記録に用いられるインク組成物にあっては、装置が長期に渡り未使用で放置された場合、インク吐出口（ノズル部）の水分は次第に蒸発し、目詰まり防止のために使用している有機溶剤が主たる構成成分となる。そのため添加剤等の従属成分は、水への溶解性と有機溶剤への溶解性の両方を有していることが必要となる。このことから、前記構造（Ａ）を有する化合物は、Ｒ１及びＲ２は比較的、分子構造の小さいアルキル基又はアリール基が好ましく、最も好ましくはメチル基である。
【００４１】
上記の構造（Ａ）を有する化合物は、該当するイソシアネートやジイソシアネート、尿素誘導体等と、ＮＨ２ＮＲ１Ｒ２（Ｒ１及びＲ２は、それぞれ独立に、水素、置換されていてもよいアルキル基又は置換されていてもよいアリール基）で表されるヒドラジン化合物類との縮合反応等によって得られる、−ＮＨＣＯＮＨＮＲ１Ｒ２基（Ｒ１及びＲ２は、それぞれ独立に、水素、置換されていてもよいアルキル基又は置換されていてもよいアリール基である。）を有する化合物を言う。
【００４２】
上記の構造（Ａ）を有する化合物は、同一分子内に構造（Ａ）を２つ以上有する化合物であることが更に好ましい。同一分子内に構造（Ａ）を２つ以上有する化合物の一例として下記一般式で表される化合物が挙げられる。
【００４３】
【化１０】
0004507156.tif 000009
（式中、Ｒ１〜Ｒ４は、それぞれ独立に、置換されていてもよいアルキル基又は置換されていてもよいアリール基であり、さらに好ましくはメチル基である。また、Ｘは、好ましくは炭素数１〜１２、さらに好ましくは炭素数１〜８の鎖状炭化水素基である。）
以下に、構造（Ａ）を有する化合物の具体例を示す。
【００４４】
【化１１】
0004507156.tif 000010
【００４５】
【化１２】
0004507156.tif 000011
前記構造（Ａ）を有する化合物は、インク組成物中、０．１重量％以上、１０重量％以下含まれることが好ましく、特に０．５重量％以上、５重量％以下含まれることがさらに好ましい。好ましい含有量とすることにより、インクジェット記録用のインク組成物として要求される吐出安定性、耐目詰まり性といった信頼性を確保しながら、記録画像の耐ガス性を改善することができる。
【００４６】
着色剤としては、水溶性の染料を用いることが好ましく、具体的にはカラーインデックスにおいて酸性染料、直接染料、触媒染料、反応染料、可溶性建染染料、硫化染料や食用染料に分類されているもの等が挙げられる。また、カラーインデックスに記載されていないものであっても、好適に使用できるものは多い。
着色剤は、金属錯体からなる染料、特に銅錯体からなる染料である場合、又は一般式（Ｂ）で表される染料である場合に、画像品質が高くかつ耐ガス性に優れた記録画像が得られる。
【００４７】
好適な着色剤の具体例としては、C.I.ダイレクトブラック１７、１９、３２、３８、５１、６２、７１、７４、７５、１１２、１１７、１５４、１６３、１６８、C.I.アシッドブラック７、２４、２６、４８、５２、５８、６０、１０７、１０９、１１８、１１９、１３１、１４０、１５５、１５６、１８７、C.I.フードブラック１、２、C.I.リアクティヴブラック５、C.I.ダイレクトイエロー１１、２８、３３、３９、４４、５８、８６、１００、１３２、１４２、３３０、C.I.アシッドイエロー３、１９、２３、２５、２９、３８、４９、５９、６２、７２、C.I.ベーシックイエロー１１、５１、C.I.ディスパースイエロー３、５、C.I.リアクティヴイエロー２、C.I.ダイレクトレッド２３、７９、８０、８３、９９、２２０、２２４、２２７、C.I.アシッドレッド１、８、１７、１８、３２、３５、３７、４２、５２、５７、９２、１１５、１１９、１３１、１３３、１３４、１５４、１８６、２４９、２５４、２５６、C.I.ベーシックレッド１４、３９、C.I.ディスパースレッド６０、C.I.ダイレクトブルー６、８、１５、２５、７１、７６、８０、８６、９０、１０６、１０８、１２３、１６３、１６５、１６８、１９９、２２６、C.I.アシッドブルー９、２９、４０、６２、７４、１０２、１０４、１１３、１１７、１２０、１７５、１８３、C.I.ベーシックブルー４１、C.I.リアクティブブルー１５、C.I.ダイレクトバイオレット４７、５１、９０、９４、C.I.アシッドバイオレット１１、３４、７５や前述の一般式（Ｂ）で表される染料等が挙げられる。
【００４８】
着色剤の添加量はインク組成物中、好ましくは０．１重量％以上、２０重量％以下が好ましく、０．５重量％以上、１０重量％以下がさらに好ましい。
特に、着色剤として銅フタロシアニン等の染料や一般式（Ｂ）で表される染料を含み、かつ、上記一般式で表される化合物を含有させたインク組成物は、種々のインクジェット印刷用の記録媒体（フォト用紙、マット紙等）へ記録された場合の記録画像の耐ガス性向上において有効である。
【００４９】
本発明のインク組成物においては、溶媒として水を用いる。水としては、イオン交換水、限外濾過水、逆浸透水、蒸留水等の純水、又は超純水の何れも好ましく用いることができる。
【００５０】
上記インク組成物は、さらに、少なくとも０〜４０℃の温度範囲において液体であって、温度２０℃における水に対する溶解度が１重量％以上であり、かつ、温度２０℃における該水溶性有機溶剤単体での飽和蒸気圧が１．７Ｐａ以下、好ましくは１Ｐａ以下である水溶性有機溶剤を少なくとも一種以上含有することが好ましい。
【００５１】
飽和蒸気圧の測定に際しては、一般の多くの方法を用いることができるが、本発明に係る前記有機溶剤のような低揮発性溶剤の場合は、トランスピレーション法（気体流通法）を用いることで、より正確に測定できる。
【００５２】
前記水溶性の有機溶剤としては、グリセリン、１，５−ペンタンジオール、トリエチレングリコールからなる群から選ばれる１種又は２種以上を少なくとも含有することが好ましく、特に、グリセリンが好ましい。
【００５３】
前記水溶性の有機溶剤は、インク組成物中、１０重量％以上、３５重量％以下含まれることが好ましい。１０重量％以上とすることにより、記録画像の保存性及びインクの吐出信頼性をより好ましく両立することができる。記録画像の保存性及びインクの吐出信頼性をさらに向上させる観点からは、有機溶剤の含有量を、インク組成物中、１５重量％以上、３０重量％以下とすることがさらに好ましい。
【００５４】
また、構造（Ａ）を有する化合物の含有量と、前記有機溶剤の含有量と、の重量比は、１：３〜１：１００の範囲であることが好ましく、１：１０〜１：８０の範囲であることがさらに好ましい。
【００５５】
前述の如き特性を有する前記有機溶剤を含有させた本発明のインク組成物は、構造（Ａ）を有する化合物により附与される優れた耐ガス性を低減させることなく、吐出信頼性及び印字品質に優れ、特にインクジェット記録用インクとして用いた場合には、ノズルにおける該インクの乾燥が防止されて、ノズルの目詰まりを確実に防止することができる。
【００５６】
上記インク組成物は、さらに、アセチレングリコール系化合物を少なくとも一種以上含んでいてもよい。アセチレングリコール系化合物を用いることにより、耐ガス性を劣化させることなく、インクの吐出安定性をさらに高めることができる。インクの吐出安定性が高まるのは、アセチレングリコール系化合物がインク組成物の表面張力を低下させ、インクが記録媒体へ浸透するのを促進するためであると考えられる。
【００５７】
アセチレングリコール系化合物としては、オルフィンＳＴＧ（商品名、日信化学社製）、サーフィノール１０４（商品名、Air Products and Chemicals Inc.製）、オルフィンＥ１０１０（商品名、日信化学社製）等の市販品を用いることができる。アセチレングリコール系化合物の含有量は、インク組成物全体量中１重量％以上、３重量％以下が好ましい。
【００５８】
上記インク組成物は、さらに、グリコールエーテル系化合物を少なくとも一種以上含んでいてもよい。溶剤としてグリコールエーテル系化合物を用いることにより、記録画像の耐ガス性を劣化させることなく、記録画像の画像品質を高めることができる。
【００５９】
グリコールエーテル系化合物としては、ジエチレングリコールモノブチルエーテル、トリエチレングリコールモノブチルエーテル、プロピレングリコールモノメチルエーテル、ジエチレングリコールモノエチルエーテル、ジエチレングリコールモノメチルエーテル等が挙げられ、使用に際してはそれぞれ単独で又は混合して用いることができる。
【００６０】
グリコールエーテル系化合物を溶剤として用いることにより、記録画像の耐ガス性を劣化させることなく、インクの吐出安定性を高めることができる。
【００６１】
上記インク組成物は、さらに、第三級アミンからなる保湿剤を少なくとも一種以上含有していてもよい。第三級アミンからなる保湿剤を上記保湿剤と併用することにより、さらに吐出安定性を向上させることができる。
【００６２】
三級アミンの例としては、トリメチルアミン、トリエチルアミン、トリエタノールアミン、ジメチルエタノールアミン、ジエチルエタノールアミン、トリイソプロペノールアミン、ブチルジエタノールアミン等が挙げられる。これらは単独または混合して使用されてよい。これら三級アミンのインク組成物への添加量は、０．１〜１０重量％程度が好ましく、より好ましくは、０．５〜５重量％である。
【００６３】
本発明のインク組成物は、必要に応じてインクジェット記録用インクに一般的に用いられている助剤をさらに含むことができる。そのような助剤としては、ｐＨ調整剤、キレート剤、防腐剤、防錆剤等が挙げられる。
上記構成とすることにより、記録画像の耐ガス性を向上させることができる。
また本発明においては、前記構造（Ａ）を有する化合物を、インク組成物とは別に、又は更に加えて、付与液として、記録媒体上に印加した場合においても、有効に作用する。この場合、付与液としては、着色剤を除き、上述のインク組成物の構成と同様の範囲で作成されることが望ましい。
さらに、本発明のインクジェット記録方法について、説明する。本発明のインクジェット記録方法では、前記インク組成物を用いてインクジェット記録を行うことにより、記録物中に前記構造（Ａ）を有する化合物が好適に共存することが可能となり、これにより、耐ガス性に優れた記録物を得ることができる。
【００６４】
【実施例】
次に、本発明を実施例によりさらに具体的に説明するが、本発明はこれらの例によって何等限定されるものではない。
【００６５】
（インク組成物の調製）
表１に示すような組成を有する各成分を常温にて３０分攪拌した後、１μｍのメンブランフィルターで濾過して、各インク組成物を得た。
【００６６】
【表１】
0004507156.tif 000012
次いで、上記のインク組成物それぞれを、インクジェットプリンタＰＭ８００Ｃ（セイコーエプソン株式会社製）を用いて、これの専用カートリッジに充填して、インクジェット専用記録媒体（ＰＭ写真用紙及びＰＭマット紙；いずれもセイコーエプソン株式会社製）に、ＯＤ（Optical Density）が０．９〜１．１の範囲に入るように印加Dutyを調製して印刷を行った。そして、以下の評価を行った。
【００６７】
（オゾン暴露試験）
定流量フロー型ガス腐食試験装置ＧＨ−１８０形（（株）山崎精機研究所製）を用い、２５℃６０％ＲＨ、オゾン濃度２ppmの条件下にて、記録物を所定時間（８時間、１６時間、２４時間）暴露した。
【００６８】
（屋外暴露試験）
直射日光及び雨には曝されることなく、かつ、壁や障害物によって空気の流動が妨げられることが無いように、柱と屋根だけからなる構造物を作製した。これを屋外に設置し、この中に記録物を配置して、所定時間（１．５ヶ月、３ヶ月、６ヶ月）暴露した。
【００６９】
（評価基準）
上記の暴露試験を行った後、それぞれの記録物のＯＤを、反射濃度計（「ＳＰＭ−１００」Gretag社製）を用いて測定し、以下の式により光学濃度残存率（Relict Optical Density；ＲＯＤ）を求めた。
【００７０】
ＲＯＤ（％）＝（Ｄ／Ｄ０）×１００
（Ｄ：暴露試験後のＯＤ、Ｄ０：暴露試験前のＯＤ）
そして求めたＲＯＤにより、以下の判定基準により評価した。
【００７１】
Ａ：ＲＯＤが９０％以上。耐ガス性良好。
【００７２】
Ｂ：ＲＯＤが８０％以上、９０％未満。実用上問題なし。
【００７３】
Ｃ：ＲＯＤが７０％以上、８０％未満。見るに堪える。
【００７４】
Ｄ：ＲＯＤが７０％未満。実用に堪えない。
【００７５】
（吐出信頼性試験）
各インク組成物を充填したインクカートリッジを、ＰＭ−８００Ｃに装填し、初期的に正常にインク組成物が吐出されることを確認した後、ＰＭ−８００Ｃの本体電源を切り、インクカートリッジを装填した状態のまま、温度４０℃、相対湿度２０％ＲＨの環境下に放置した。所定時間放置した後、ＰＭ−８００Ｃを常温の環境下に移し、ＰＭ−８００Ｃ本体の温度が常温に下がるまで待ってから本体電源を入れ、インク組成物を吐出させて、その吐出状態を目視で観察した。その際、吐出が正常でない場合は、ＰＭ−８００Ｃ所定のクリーニング回復動作を行い、正常にインク組成物が吐出されるようになるまでに要した該クリーニング回復動作の回数を調べ、下記評価基準により評価した。
【００７６】
（評価基準）
Ａ：クリーニング回復動作なし又は１回で正常に吐出。
【００７７】
Ｂ：クリーニング回復動作２回又は３回で正常に吐出。
【００７８】
Ｃ：クリーニング回復動作４〜６回で正常に吐出。
【００７９】
ＮＧ：クリーニング回復動作を６回行っても正常に吐出しない。
【００８０】
上記評価基準により評価した結果を表２に示す。
【００８１】
【表２】
0004507156.tif 000013
表２から分かるように、上記構造（Ａ）を有する化合物を含有しているインク組成物を用いた実施例１〜１０の記録画像は、何れも耐ガス性及び吐出信頼性に優れていた。これに対し、比較例１では記録画像の耐ガス性及びインク組成物の吐出信頼性の何れかが実用上十分なレベル（Ｃ以上）に達していないことが分かる。
【００８２】
【発明の効果】
本発明のインク組成物、又はインクジェット記録方法によれば、記録画像の耐ガス性に優れた高画質な画像を得ることができる。
また、本発明の記録物は、記録画像の耐ガス性に優れたものである。